(57)【要約】【課題】ＡＣプラグを備えた充電器をコンセントに着脱する際に、水平方向の力が加わった場合でも、ＡＣプラグおよびＡＣプラグを固定しているケースに負荷をかけない構造をもった充電器を提供することを目的とする。【解決手段】交流電源に接続するためのＡＣプラグ、充電基板、前記ＡＣプラグおよび前記充電基板を保持し、電池装着機能を兼ね備えたケースによって成り立っており、前記ケースには前記ＡＣプラグを収納するためのＡＣプラグ収納部を確保しており、充電器使用時には前記ＡＣプラグ収納部に収納されている前記ＡＣプラグを前記ケースより垂直方向に回動させることができ、なおかつ前記充電器使用状態にて、前記ＡＣプラグと前記ケースとの間にはクリアランスが設けられ、前記ＡＣプラグの回動可能範囲を広げていることを特徴とする充電器。【選択図】図５
2011205820.tif 000002
【特許請求の範囲】
【請求項１】
内部に充電回路を備え、外表面の一部に充電する充電電池を装着する電池装着部を設けるとともに充電時に接続刃を外方に表出させ非充電時に接続刃を収納するＡＣプラグ収納部を設けた充電器本体とこの充電器本体のＡＣプラグ収納部に回動可能に保持された接続刃と絶縁部からなるＡＣプラグとからなる充電器において、前記充電器本体のＡＣプラグ収納部の内壁の一部と充電器に接続刃を外方に表出させるように回動させられた状態におけるＡＣプラグの絶縁部の上記内壁の一部と対向する端面との間に一定のクリアランスを設けたことを特徴とする充電器。
【請求項２】
前記ＡＣプラグ収納部にＡＣプラグの絶縁部に一体に設けた角形の軸部を保持し、ＡＣプラグの節度をもって回動するようにした弾性材からなるホルダー部材を固着したことを特徴とする請求項１記載の充電器。
【請求項３】
上下ケースで充電器本体を構成し、前記ホルダー部材を上下ケースで挟んで固定したことを特徴とする請求項１記載の充電器。
【発明の詳細な説明】
【技術分野】
【０００１】
本発明は交流電源に接続するためのＡＣプラグを有し、前記交流電源を直流電源に変換してバッテリーに充電を行う充電器に関するものである。
【背景技術】
【０００２】
従来の被充電電池を充電する充電器において、未使用時および充電器持ち運び時に充電器をコンパクトにするために、ＡＣプラグをケース内に収納する機能を備えているものが知られている。従来の充電器を図６、図７および図８に示す。図６は従来の充電器の上面図である。充電基板がケース６１に囲われており、被充電電池を保持し充電するための電池保持部６７を備えている。図７は従来の充電器の未使用時の底面図である。交流電源に接続するためのＡＣプラグ６２を備えており、ＡＣプラグ６２を格納するためのＡＣプラグ収納部６３を備えている。図８が使用時の充電器の側面図である。本充電器はＡＣプラグ６２がケース６１の底面に対して垂直方向に向く範囲まで、すなわち矢印ｂの範囲でＡＣプラグ軸６４を中心としてＡＣプラグ６２を回動させる機能を備えている（例えば、特許文献１参照）。
【先行技術文献】
【特許文献】
【０００３】
【特許文献１】特開平９−１４７９２４号公報
【発明の概要】
【発明が解決しようとする課題】
【０００４】
しかしながら前記従来の充電器では、図９に示すような充電器のコンセント６６への抜き差しの動作状態において、コンセント６６に充電器を人の手で挿入、もしくはコンセント６６に挿入された充電器を人の手で取り出す際に、矢印ｄの方向に加重が加わると、ＡＣプラグ６２に矢印ｅ方向へ回転モーメントが発生し、回動可能範囲である矢印ａの範囲を超える方向へ力が働くため、ＡＣプラグ６２およびＡＣプラグ６２を保持しているケース６１に負荷がかかる構造となっていた。
【０００５】
そのため充電器を繰り返しの着脱により蓄積された負荷、もしくは着脱時に異常な力が加わった際の一過性の負荷によって充電器が破損する可能性があった。
【課題を解決するための手段】
【０００６】
前記従来の課題を解決するために、本発明の充電器は内部に充電回路を備え、外表面の一部に充電する充電電池を装着する電池装着部を設けるとともに充電時に接続刃を外方に表出させ非充電時に接続刃を収納するＡＣプラグ収納部を設けた充電器本体とこの充電器本体のＡＣプラグ収納部に回動可能に保持された接続刃と絶縁部からなるＡＣプラグとからなる充電器において、前記充電器本体のＡＣプラグ収納部の内壁の一部と充電器に接続刃を外方に表出させるように回動させられた状態におけるＡＣプラグの絶縁部の上記内壁の一部と対向する端面との間に一定のクリアランスを設けたことを特徴とする、というものである。
【発明の効果】
【０００７】
本発明によると、ＡＣプラグをケース底面より垂直方向に起こした状態でも、ＡＣプラグとケースとの間にクリアランスが設けられているため、ＡＣプラグが回動する可動範囲がひろがり、水平方向の力が加わってもＡＣプラグおよびＡＣプラグを保持しているケースに負荷が掛からない構造となっている。
【図面の簡単な説明】
【０００８】
【図１】本発明の実施の形態に示す充電器の底面図
【図２】本発明の実施の形態に示す充電器の不使用時の断面図
【図３】本発明の実施の形態に示す充電器の使用時の断面図
【図４】（ａ）本発明の実施の形態に示す充電器の使用時の詳細断面図、（ｂ）本発明の実施の形態に示す充電器のＡＣプラグの可動範囲を示す詳細断面図
【図５】本発明の実施の形態に示す充電器のコンセント着脱時の断面図
【図６】従来の充電器の上面図
【図７】従来の充電器の不使用時の底面図
【図８】従来の充電器の使用時の側面図
【図９】従来の充電器のコンセント着脱時の側面図
【発明を実施するための形態】
【０００９】
以下本発明を実施するための最良の形態について図面を参照しながら説明する。
【００１０】
（実施の形態１）
図１は本発明の実施の形態における充電器の底面図である。充電基板がケース１に囲われており、また交流電源に接続するためのＡＣプラグ２を備えており、充電器未使用時にＡＣプラグ２を回動させて収納するためのＡＣプラグ収納部３を備えている。
【００１１】
図２が本発明の実施の形態に示す充電器の不使用時の断面図である。ＡＣプラグ２はケース１に固定されており、ＡＣプラグ軸４を中心に回動する機能を備えている。またＡＣプラグ２がＡＣプラグ収納部３に収納された状態でＡＣプラグ２が自重で動かないようにするためにＡＣプラグ２の絶縁部に一体に設けた角形の軸部を保持し、ＡＣプラグ２を節度をもって回動するようにした弾性材からなるホルダー部品５を備えている。
【００１２】
図３が本発明の実施の形態に示す充電器の使用時の断面図である。ＡＣプラグ２はケース１に対して垂直に起こした状態で位置決めされ、自重で動かないようにするためにホルダー部品５と嵌合している。
【００１３】
図４（ａ）が図３の詳細断面図である。ＡＣプラグ２が垂直に起こした状態で、ＡＣプラグ２とケース１との間にはクリアランスが設けられている。
【００１４】
図４（ｂ）がＡＣプラグ２の回動する可動範囲を示した図である。同図を用いて、本実施の形態におけるＡＣプラグ動作を詳細に説明する。ＡＣプラグ２とケース１との間にはクリアランスが設けられているため、ＡＣプラグ２は従来の回動可能範囲である矢印ｂの範囲に加えて矢印ｃの範囲も回動することができる。ただし、ＡＣプラグ２がケース１の底面に対して垂直に起こした状態でホルダー部品５によって位置決め嵌合されているため、一定の荷重がＡＣプラグ２に加わった場合に矢印ｃの範囲で回動する構造となっている。
【００１５】
図５が本発明の実施の形態に示す充電器をコンセントに着脱するときの断面図である。
【００１６】
コンセント６に充電器を人の手で挿入、もしくはコンセント６に挿入された充電器を人の手で取り出す際に、矢印ｃの方向に加重が加わると、ＡＣプラグ２に矢印ｄ方向へ回転モーメントが発生する。
【００１７】
このとき発生する回転モーメントはＡＣプラグ２の矢印ｃの回動可能範囲内の力であるため、ＡＣプラグ２は矢印ｃの可動範囲内で回動する構造となっている。
【００１８】
したがって、従来例に比べＡＣプラグ２の回動可能範囲が広がったことにより、充電器の着脱時に矢印ｃの方向の力が加わっても、ＡＣプラグ２およびＡＣプラグ２を保持しているケース１に負荷が掛からない構造となっているのである。
【００１９】
また、ＡＣプラグ収納部にＡＣプラグの絶縁部に一体に設けた角形の軸部を保持し、ＡＣプラグを節度をもって回動するようにした弾性材からなるホルダー部材とした充電器が可能である。
【産業上の利用可能性】
【００２０】
本発明にかかる充電器は、コンセントへの着脱の際に充電器に対して水平方向の力が働いた場合でも、ＡＣプラグおよびＡＣプラグを保持するケースに負荷を逃がすことが可能になるので、ＡＣプラグを備える充電器の構造として有用である。
【符号の説明】
【００２１】
１    ケース
２    ＡＣプラグ
３    ＡＣプラグ収納部
４    ＡＣプラグ軸
５    ホルダー部品
６    コンセント
７    電池収納部
６１  ケース
６２  ＡＣプラグ
６３  ＡＣプラグ収納部
６４  ＡＣプラグ軸
６６  コンセント
６７  電池保持部
【図１】
2011205820.tif 000003
【図２】
2011205820.tif 000004
【図３】
2011205820.tif 000005
【図４】
2011205820.tif 000006
【図５】
2011205820.tif 000007
【図６】
2011205820.tif 000008
【図７】
2011205820.tif 000009
【図８】
2011205820.tif 000010
【図９】
2011205820.tif 000011